(57)【要約】【課題】  ペットの足の汚れを簡単、かつスムーズに落とすことができるペット用使い捨て足拭きウエットティッシュを提供すること。【解決手段】  ペット用使い捨て足拭きウエットティッシュ１は、液状の含浸剤が含浸可能な吸水性の基材不織布２からなる。基材不織布２は、足挿入口３を１箇所に有するとともにペットの足に装着可能な大きさの袋状に形成される。基材不織布２が袋９の内面を構成するとともに、足挿入口３が弾性的に伸縮可能な構造を有する。ウエットティッシュ１は、ペットの足に装着したままで当該ペットの足の汚れを拭き落とすことができる【選択図】  図１
0003114672.tif 000002
【実用新案登録請求の範囲】
【請求項１】
室内飼育用ペットのための使い捨て足拭きウエットティッシュであって、
足挿入口を１箇所に有するとともに前記ペットの足に装着可能な大きさの袋状に形成され、液状の含浸剤が含浸可能な吸水性の基材不織布からなり、前記基材不織布が袋の内面を構成するとともに、前記足挿入口が弾性的に伸縮可能な構造を有し、前記ペットの足に装着したままで当該ペットの足の汚れを拭き落とすことができることを特徴とするペット用使い捨て足拭きウエットティッシュ。
【請求項２】
略円形状の基材不織布を用い、その外周縁となる位置に帯状または紐状の弾性部材を設けたことを特徴とする請求項１に記載のペット用使い捨て足拭きウエットティッシュ。
【請求項３】
前記基材不織布における中央部は、外周部よりも厚くなるように形成されていることを特徴とする請求項１または２に記載のペット用使い捨て足拭きウエットティッシュ。
【請求項４】
前記基材不織布における内面側には、凹凸が設けられていることを特徴とする請求項１乃至３のいずれか１項に記載のペット用使い捨て足拭きウエットティッシュ。
【請求項５】
前記基材不織布における中央部の外面側には、凹凸が設けられていることを特徴とする請求項１乃至４のいずれか１項に記載のペット用使い捨て足拭きウエットティッシュ。
【請求項６】
液状の含浸剤が含浸されかつ折り畳まれた状態の請求項１乃至５のいずれか１項に記載のウエットティッシュを、開閉可能なティッシュ取出口を有する容器内にて複数枚積層して収納した容器入りのペット用使い捨て足拭きウエットティッシュであって、前記複数枚のウエットティッシュは、前記ティッシュ取出口側に袋の底部を向け、前記ティッシュ取出口側とは反対側に前記足挿入口を向けた状態で収納されていることを特徴とする容器入りのペット用使い捨て足拭きウエットティッシュ。
【考案の詳細な説明】
【技術分野】
【０００１】
本考案は、室内で飼育されるペットの足に付着した汚れを落とすためのペット用足拭きウエットティッシュ及び容器入りのペット用使い捨て足拭きウエットティッシュに関するものである。
【背景技術】
【０００２】
従来、散歩で足が汚れたペット（犬や猫など）を室内に入れる場合や、室内でペットが排泄物を踏んでしまった場合には、室内を清潔に保つために、ペットの足の汚れを洗面所や風呂場で洗ったり、ウエットティッシュを用いて拭いたりしていた。
【０００３】
しかしながら、ペットはその場にじっとしていることなく動き回るため、足の汚れをきれいに落とすことは難しい。特に、ペットを複数頭飼っている場合には、１頭ずつ汚れを落とす必要があるため、手間がかかり作業が面倒となることに加え、室内にペットを入れるまでの時間がかかるといった問題が生じていた。
【０００４】
そのため、ペットの足を拭くために好適な構造を有するウエットティッシュが望まれているものの、現状では単なるシート状のウエットティッシュが実用化されているのみであり、このような製品では上記の問題を解消することはできない。
【０００５】
ちなみに、特許文献１〜３には、袋状に形成して人の手や指に装着することにより、その外側面で対象物の汚れを拭き取るウエットティッシュが開示されている。また、汚れを拭き取るためのウエットティッシュとは直接関係のない技術であるが、参考となる技術を開示するものとして、特許文献４，５がある。すなわち、特許文献４には、筒状に形成して人の腕に装着することにより、衣服などを保護するティッシュペーパが開示されている。さらに、特許文献５には、散歩時においてペットの足に装着して、足が汚れるのを防止するペット用の靴が開示されている。
【特許文献１】特開２００３−２９９５９３号公報
【特許文献２】特開２００４−３３６６４号公報
【特許文献３】特開平１１−２９７号公報
【特許文献４】実用新案第３００１２５５号公報
【特許文献５】特開平１１−３２６１５号公報
【考案の開示】
【考案が解決しようとする課題】
【０００６】
ところが、特許文献１〜３に開示されている袋状のウエットティッシュを仮にそのまま用いたとしても、以下の理由により、ペットの足の汚れをうまく取り除くことはできない。すなわち、それら袋状のウエットティッシュは、人が手や指を入れることを前提にして製造されており、人が意識して作業すればウエットティッシュは手や指から外れない。そのため、従来の袋状のウエットティッシュでは手や指に固定するための手段が設けられていない。また、それらウエットティッシュはペットの足のサイズに適した大きさではない。従って、その袋状のウエットティッシュをペットの足に装着したとしても、ペットが動き回ることでウエットティッシュが外れたり、ペットが口で噛んで取り外したりすることから、足の汚れを確実に落とすことができない。特に、特許文献３に記載のウエットティッシュでは、内面側に防水性シートが設けられており、袋の内側に挿入されたペットの足がウエットティッシュの内側面に接触しない構造となっているため、構造上、足の汚れを落とすことはできない。
【０００７】
また、特許文献４に開示されている筒状のティッシュペーパでは、開口部が２つあるため、一方の開口部からペットの足を挿入しても、足先が他方の開口部からはみ出してしまう。そのため、足の裏の汚れを確実に落とすことができないし、拭き落とした汚れも外部にこぼれてしまう。さらに、ティッシュペーパがウエットな状態ではなく乾いているため、足の汚れをきれいに拭き取ることができない。
【０００８】
さらに、特許文献５に開示されているペット用の靴は、足に汚れがつくのを防止するためにペットの足にぴったりと装着するものであり、耐水性に優れた天然ゴムラテックス等の素材で形成されている。従って、このペット用の靴では、足に付着した汚れを拭き取るといった用途に使用することができず、また、ウエットティッシュのように使い捨てにすることも、全く想定していない。
【０００９】
本考案は上記の課題に鑑みてなされたものであり、その目的は、ペットの足の汚れを簡単にかつスムーズに落とすことができるペット用使い捨て足拭きウエットティッシュ及び容器入りのペット用使い捨て足拭きウエットティッシュを提供することにある。
【課題を解決するための手段】
【００１０】
上記課題を解決するために、請求項１に記載の考案は、室内飼育用ペットのための使い捨て足拭きウエットティッシュであって、足挿入口を１箇所に有するとともに前記ペットの足に装着可能な大きさの袋状に形成され、液状の含浸剤が含浸可能な吸水性の基材不織布からなり、前記基材不織布が袋の内面を構成するとともに、前記足挿入口が弾性的に伸縮可能な構造を有し、前記ペットの足に装着したままで当該ペットの足の汚れを拭き落とすことができることを特徴とするペット用使い捨て足拭きウエットティッシュをその要旨とする。
【００１１】
請求項１に記載の考案によれば、基材不織布が所定の大きさを有する袋状に形成されているため、ウエットティッシュを犬や猫などの室内飼育用ペットの足にスムーズに装着することができる。また、基材不織布は吸水性であり液状の含浸剤を含ませることが可能なため、汚れを落とすのに好適なウエットティッシュとして利用することができる。さらに、足挿入口が弾性的に伸縮可能な構造を有するので、ペットの足首に足挿入口がぴったりとくっついて確実に固定することができる。従って、ウエットティッシュの装着後にペットが歩き回ってもウエットティッシュが外れることがない。また、ウエットティッシュを装着すれば、床などに汚れがつかないので、散歩などで足が汚れたペットを速やかに室内に入れることができる。そして、ウエットティッシュをペットの足に装着したままでその外側からペットの足を揉むことにより、袋の内面を構成する基材不織布の表面で足の汚れを確実に拭き取ることができる。また、ウエットティッシュを装着した状態でペットが動き回ることで、足の汚れがある程度落ちるため、人の手による拭き取り作業が軽減される。
【００１２】
さらに、ウエットティッシュは、可燃物である基材不織布を用いて製造することができ、拭き取り作業をした後にそのままゴミ箱に捨てることができる。ウエットティッシュをペットの足から取り外すと、足挿入口が弾性的に縮んで狭窄した状態となる。そのため、ペットの足から拭き拭き取った砂や糞などのゴミが足挿入口からこぼれ落ちにくくなり、室内で拭き取り作業を行っても室内を清潔に保つことができる。
【００１３】
請求項２に記載の考案は、請求項１において、略円形状の基材不織布を用い、その外周縁となる位置に帯状または紐状の弾性部材を設けたことをその要旨とする。
【００１４】
請求項２に記載の考案によれば、略円形状の基材不織布の外周縁となる位置に帯状または紐状の弾性部材を設けることにより、足挿入口の外側に基材不織布がはみ出すことがなく、ペットがその部分を噛んでウエットティッシュを足から外してしまうといった問題を回避することができる。またこの場合、ウエットティッシュを丸い袋状に形成できるため、ペットにとって履き心地がよくなり、かつペットの足を確実に拭くことができる。
【００１５】
請求項３に記載の考案は、請求項１または２において、前記基材不織布における中央部は、外周部よりも厚くなるように形成されていることをその要旨とする。
【００１６】
請求項３に記載の考案によれば、基材不織布の中央部が厚くなっているので、足の爪などがひっかかることによってウエットティッシュが破れるような事態を防止することができる。
【００１７】
請求項４に記載の考案は、請求項１乃至３のいずれか１項において、前記基材不織布における内面側には、凹凸が設けられていることをその要旨とする。
【００１８】
請求項４に記載の考案によれば、基材不織布の内面側に設けた凹凸によって、ペットの足の汚れを確実に落とすことができる。
【００１９】
請求項５に記載の考案は、請求項１乃至４のいずれか１項において、前記基材不織布における中央部の外面側には、凹凸が設けられていることをその要旨とする。
【００２０】
請求項５に記載の考案によれば、基材不織布における中央部の外面側に設けた凹凸が滑り止めとして機能する。すなわち、本考案のペット用使い捨て足拭きウエットティッシュは、基材不織布が液状の含浸剤を含んだときに滑りやすくなるが、滑り止め用の凹凸を設けることにより、ペットがウエットティッシュを装着した状態で室内を容易に歩くことができる。
【００２１】
請求項６に記載の考案は、液状の含浸剤が含浸されかつ折り畳まれた状態の請求項１乃至５のいずれか１項に記載のウエットティッシュを、開閉可能なティッシュ取出口を有する容器内にて複数枚積層して収納した容器入りのペット用使い捨て足拭きウエットティッシュであって、前記複数枚のウエットティッシュは、前記ティッシュ取出口側に袋の底部を向け、前記ティッシュ取出口側とは反対側に前記足挿入口を向けた状態で収納されていることを特徴とする容器入りのペット用使い捨て足拭きウエットティッシュをその要旨とする。
【００２２】
請求項６に記載の考案によれば、ティッシュ取出口側を向いて配置されている袋の底部をつまむことで、ウエットティッシュを容器から１枚ずつ取り出すことができ、装着作業及び拭き取り作業をスムーズに行うことができる。またこの場合、ウエットティッシュの足挿入口側をつまむ場合とは異なり、袋の底部は伸縮しないので、無理な力が加わることなくウエットティッシュを容器から簡単に取り出すことができる。よって、取り出し時にウエットティッシュが破れるようなことがない。さらに、ウエットティッシュが容器に収納されることにより、汚れを落とすために良好な湿潤状態を保つことができる。
【考案の効果】
【００２３】
以上詳述したように、請求項１〜６に記載の考案によると、ペットの足の汚れを簡単にかつスムーズに落とすことができる。特に請求項６に記載の考案によると、長期にわたりウエットティッシュを湿潤状態に保持でき、ウエットティッシュを必要時に破ることなく簡単に取り出すことができる。
【考案を実施するための最良の形態】
【００２４】
以下、本考案を具体化した一実施の形態を図面に基づき詳細に説明する。図１は、本実施の形態におけるペット用使い捨て足拭きウエットティッシュの概略構成を示している。
【００２５】
図１に示されるように、本実施の形態のペット用使い捨て足拭きウエットティッシュ（以下、ウエットティッシュ）１は、液状の含浸剤が含浸可能な吸水性の基材不織布２からなり、足挿入口３を１箇所に有するとともにペットの足に装着可能な大きさの袋状に形成されている。
【００２６】
基材不織布２としては、例えば木質パルプ、ジュート、絹、ウール、大麻、綿、麻などの天然繊維製の不織布や、セルロース繊維、ポリアミド繊維、ポリエステル繊維、ポリアクリル繊維、ポリウレタン繊維、ポリオレフィン繊維などの合成繊維製の不織布、あるいは上記各繊維のうちの２種以上を組み合わせた不織布を挙げることができる。
【００２７】
基材不織布２は、ペットの足のサイズやペットの種類に応じて選択可能であるが、足の爪などによって破れない程度の厚手（例えば、厚さ０．５ｍｍ以上）の不織布であることが望ましい。また、基材不織布２に含浸される含浸剤としては、炭化水素油、エーテル油、アルコール、油脂、シリコーン油などの油分、界面活性剤、除菌剤、防腐剤、香料、薬効成分、植物成分などを挙げることができる。また、洗浄力を高めるために洗剤成分を含んだ含浸液を用いてもよい。勿論、含浸剤は単なる水であってもよい。
【００２８】
本実施の形態のウエットティッシュ１は、その足挿入口３が弾性的に伸縮可能な構造を有しており、ペットの足を覆うウエットティッシュキャップとして機能する。具体的にいうと、本実施の形態のウエットティッシュ１における足挿入口３には、弾性部材としての紐状のゴム（リング状に形成された輪ゴム）４が設けられている。そして、図２に示すように、そのウエットティッシュ１の内側にペット（例えば、犬）５の足６を挿入した場合、ゴム４の収縮力によって足挿入口３がペット５の足首７にぴったりとくっついて確実に固定されるようになっている。また、袋状をなす基材不織布２は、装着時にペット５の足６との間に５ｍｍ〜２０ｍｍの隙間ができる程度の大きさを有する。
【００２９】
本実施の形態のウエットティッシュ１において、足挿入口３の外側に形成されるフランジ部８は、長さＬが５ｍｍ以下となるよう形成されている。このフランジ部８を５ｍｍ以下となるよう形成することにより、ペット５がこのフランジ部８を噛んでウエットティッシュ１を足６から外してしまうといった問題を回避することができる。
【００３０】
図３は、ウエットティッシュ１を収納する容器１１を示している。
【００３１】
図３に示されるように、容器１１は、円筒形状の容器本体１２と、その容器本体１２の上部に設けられたティッシュ取出口１３を開閉するための蓋体１４とを備える。容器本体１２及び蓋体１４は、例えば、ポリプロピレン、ポリエチレンなどのプラスチック材料からなる。容器本体１２は、液状の含浸剤が含浸されかつ折り畳まれた状態のウエットティッシュ１を複数枚積層して収容している。この容器本体１２内における各ウエットティッシュ１は、ティッシュ取出口１３側に袋９の底部９ａを向け、ティッシュ取出口１３側とは反対側（容器本体１２の底側）に足挿入口３を向けた状態で収納されている。ウエットティッシュ１の袋９の底部９ａをつまむことで、ティッシュ取出口１３からウエットティッシュ１を１枚ずつ取り出すことができる。
【００３２】
本実施の形態のウエットティッシュ１及びそれを収納する容器１１は、装着するペット５の足６のサイズやペット５の種類に応じて、例えば、大、中、小の大きさの製品が製造されている。また、各サイズのウエットティッシュ１は、製品サイズに適した深さが設定されている。なお、ウエットティッシュ１は、室内飼育用ペット５（犬、猫、ウサギ、フェレットなど）を対象としており、足６を覆う袋９のサイズとしては、縦、横、高さ（深さ）のそれぞれが１００ｍｍ以下であることが好ましい。
【００３３】
次に、本実施の形態のウエットティッシュ１の製造方法について説明する。
【００３４】
先ず、図４に示すような円形状の基材不織布２を用意する。そして、図５に示すように、先が丸く形成された円柱形状の治具１６の外周面を覆うように基材不織布２を配置した状態で、その基材不織布２の外周縁（足挿入口３となる位置）にリング状のゴム４を嵌める。その後、図６に示すように、ゴム４を接着剤１７で接着して基材不織布２に固定する。なお、ここで使用する治具１６は、ペット５の足首７と同程度の直径を有する。また、本実施の形態のゴム４は、伸びた状態で基材不織布２における足挿入口３の周方向に等角度間隔となるよう複数個所で接着されている。なお、接着剤１７がゴム４と同様に伸縮可能な材質である場合には、そのゴム４の全周にわたって接着剤１７を塗布してもよい。この場合における接着剤１７としては、基材不織布２に含浸剤を含ませた状態でも接着力が低下しないものが好適である。
【００３５】
そして、その基材不織布２は、接着剤１７が十分に乾いた後に治具１６から外されると、ゴム４が縮むことで、足挿入口３が縮径した袋状となる。その後、袋状の基材不織布２に含浸剤を含ませてウエットな状態とする。その結果、図１に示すような袋状のウエットティッシュ１が製造され、それが１枚ずつ折り畳まれて容器１１に収納される。ここで、含浸剤は、グラビアコートやスプレー塗布などの周知の手法で基材不織布２に含浸させることができる。なお、袋状に形成された基材不織布２を容器１１に収納した後に、その容器１１内に液状の含浸剤を注入することで、各基材不織布２に含浸液を含ませるようにしてもよい。
【００３６】
従って、本実施の形態によれば以下の効果を得ることができる。
【００３７】
（１）本実施の形態のウエットティッシュ１は、基材不織布２がペット５の足６に装着可能な大きさの袋状に形成されるため、ペット５の足６にスムーズに装着することができる。また、足挿入口３には弾性部材としてのゴム４が設けられているので、装着したウエットティッシュ１をペット５の足首７に確実に固定することができる。そのため、ウエットティッシュ１の装着後にペット５が歩き回っても、ウエットティッシュ１がずれたり外れたりすることがない。従って、散歩後においてペット５を室内に入れる際に、ウエットティッシュ１を装着すれば、床などに汚れがつかないので、ペット５を速やかにそのまま室内に入れることができる。そして、ウエットティッシュ１の外側からペット５の足６を揉むことにより、足６の汚れを確実に落とすことができる。このように、本実施の形態のウエットティッシュ１を用いれば、従来ペット５を室内に入れるまでにかかっていた時間を大幅に短縮することができ、拭き取り作業も軽減することができる。
【００３８】
（２）室内においてペット５が排泄物を踏んで床などが汚れた場合でも、本実施の形態のウエットティッシュ１をペット５の足６に装着すれば、それ以上床が汚れることがなく、床などの掃除にすぐに取りかかることができる。
【００３９】
（３）本実施の形態では、略円形状の基材不織布２を用いたので、ウエットティッシュ１を丸い袋状に形成することができる。この場合、四角形等の袋状に形成されるウエットティッシュ（例えば、特許文献１のウエットティッシュ）などのように、袋９の内面側に角部が形成されないので、ペット５にとって履き心地がよく、かつペット５の足６を確実に拭くことができる。
【００４０】
（４）本実施の形態の場合、容器１１にウエットティッシュ１を複数枚積層した状態で収納しており、そのウエットティッシュ１における袋９の底部９ａをつまむことで容器１１から１枚ずつ取り出すことができる。この場合、ウエットティッシュ１の足挿入口３をつまむ場合とは異なり、袋９の底部９ａは伸縮しないので、無理な力が加わることなく容器１１から簡単にウエットティッシュ１を取り出すことができる。よって、取り出し時にウエットティッシュが破れるようなことがない。そして、その取り出したウエットティッシュ１をペット５の４本の足６に順番に速やかに装着でき、拭き取り作業を簡単かつスムーズに行うことができる。
【００４１】
（５）本実施の形態のウエットティッシュ１において、足挿入口３の外側に形成されるフランジ部８が５ｍｍ以下であるので、ペット５がそのフランジ部８を噛むことが困難となり、ペット５が噛んでウエットティッシュ１を足６から外してしまうといった問題を回避することができる。
【００４２】
（６）本実施の形態の場合、足挿入口３に対応する位置にゴム４を接着して基材不織布２を袋状に形成した後、その基材不織布２に含浸液を含ませるようにしている。つまり、製造時において湿潤状態ではなく乾燥状態で接着を行うようにしているため、基材不織布２にゴムを確実に接着することができ、実用上好ましいものとなる。
【００４３】
（７）本実施の形態のウエットティッシュ１は、可燃物である基材不織布２及びゴム４を用いて製造することができ、ペット５の足６の汚れを落とした後は分別することなく、可燃ごみとして捨てることができる。このため、使い勝手がよく、環境にもやさしい製品となる。
【００４４】
（８）本実施の形態のウエットティッシュ１は、液状の含浸剤が含浸可能な吸水性の基材不織布２からなり、含浸剤が含浸不能または含浸困難な非透水性の樹脂層を有していない。例えば、特許文献３のウエットティッシュのように、防水シート（樹脂層）が袋の内面側にある場合には、中に入れたペット５の足６を拭くことができないといった問題が生じるが、本実施の形態のウエットティッシュ１には、その樹脂層が形成されていないため、ペット５の足６を確実に拭くことができる。
【００４５】
（９）基材不織布２は、装着時にペット５の足６との間に５ｍｍ〜２０ｍｍの隙間ができる程度の大きさの袋状に形成されているので、ペット５の足６の汚れを確実に落とすことができる。ここで、隙間が５ｍｍよりも小さいと、足６に密着しすぎて却って拭きにくくなる。また、隙間が２０ｍｍよりも大きいと、ペット５にとって装着し心地が悪くなる可能性がある。しかも、ペット５が自ら外してしまう、または破いてしまうといった可能性も生じる。これに対して、本実施の形態のように５ｍｍ〜２０ｍｍの隙間を持たせれば、それら問題を回避することができる。
【００４６】
（１０）真夏の炎天下においては道路の路面が熱くなるため、散歩後のペット５の足裏も非常に熱くなる。この場合、本実施の形態のウエットティッシュ１を足６に装着すると、足裏に接触した部位の含浸剤が気化することで、足裏を冷やすことができる。従って、ペット５の足裏におけるやけど等を予防することができる。
【００４７】
なお、本考案の実施の形態は以下のように変更してもよい。
【００４８】
・上記実施の形態では、基材不織布２の足挿入口３に接着剤１７を用いてゴム４を接着するものであったが、これに限定されるものではなく、糸でゴム４を縫いつけてもよい。またこの場合、弾性部材として帯状のゴム（薄く形成された幅のあるゴム）を用いると、そのゴムを基材不織布２に確実に縫いつけることができる。あるいは、ゴム自体を糸のようにして縫いつけてもよい。
【００４９】
また、例えば、熱接着性のテープを用いてゴム４を足挿入口３に固定することも可能である。具体的には、図７に示すように、円柱形状の治具１６の外周面を覆うように基材不織布２を配置した状態で、その基材不織布２の外周縁（足挿入口３となる位置）にリング状のゴム（輪ゴム）４を嵌める。その後、ゴム４の下方に熱接着性の両面テープ２１を貼り付ける。この熱接着性の両面テープ２１は、例えばポリアミド系の接着剤やポリエステルなどからなる。そして、図８に示すように、ゴム４を挟み込むように基材不織布２の端部を折り曲げるとともに、ヒータ２２を用いてその基材不織布２の端部を両面テープ２１の接着面に押し付けながら加熱する。これにより、両面テープ２１の温度が接着温度（例えば、１４０℃〜１６０℃）に達し、その両面テープ２１の接着剤が溶けて基材不織布２に融着する。その後、冷却されることで両面テープ２１が基材不織布２に完全に接着する。これにより、足挿入口３にゴム収納部２３が形成され、その収納部２３内にゴム４が配置されることとなる。
【００５０】
そして、基材不織布２を治具１６から取り外し、袋の部分を裏返すことで、図９に示すように、足挿入口３にフランジ部が形成されないウエットティッシュ２５を製造することができる。また、このウエットティッシュ２５では、１）基材不織布２の端部を折り曲げることで足挿入口３の部分が厚く形成され、しかも、２）足挿入口３に設けられるゴム４がゴム収納部２３内に配置されることでゴム４が基材不織布２の外側に非露出となっている。ゆえにこの構成によると、足挿入口３の強度を十分に確保することができる。なお、ゴム収納部２３を先に形成しておき、その収納部２３に紐状のゴムを通した後、そのゴムの端部同士を結ぶことで、ウエットティッシュ２５を構成してもよい。
【００５１】
また、基材不織布２が熱接着性を有する合成樹脂繊維（例えばポリエチレン、ポリプロピレン、ナイロン（登録商標）等またはこれらの複合材料からなる合成樹脂繊維）を含む場合、基材不織布２の端部を折り曲げ、重なり合った部位をヒータで加熱してヒートシールすることにより、足挿入口３にゴム収納部２３を形成してもよい。ただし、接着強度が不足する場合には、上記のように熱接着性の両面テープ２１を用いることが好ましい。
【００５２】
・上記実施の形態におけるウエットティッシュ１，２５は、円形状の基材不織布２を用いて製造するものであったが、これに限定されず楕円形状の基材不織布や、四角形状などの多角形状の基材不織布を用いて製造してもよい。ただし、上記実施の形態のように、円形状の基材不織布２を用いた方が足挿入口３に形成されるフランジ部８長さＬを短くできるので、実用上好ましいものとなる。
【００５３】
・また、図１０に示すように、真円に対して一部（足挿入口３となる部分）が欠けた略円形状の基材不織布２７を２枚重ね、破線で示す縁部２７ａをヒートシールすることで袋状に形成した後、足挿入口３にゴム４を取り付けることで、本考案のウエットティッシュを形成してもよい。なおこの場合、足挿入口３にゴム４を取り付ける方法としては、接着剤１７を用いて固定する方法を採用してもよいし、ヒートシールでゴム収納部２３を形成してそこに取り付ける方法を採用してもよい。
【００５４】
・上記実施の形態における弾性部材としては、帯状または紐状のゴム４以外に、ゴムテープ（例えば、ポリウレタンやナイロン（登録商標）からなるゴムテープ）などを用いてもよい。また、これら弾性部材としては、制菌性や抗菌防臭性のゴム材を用いることができる。
【００５５】
・上記実施の形態のウエットティッシュ１，２５では、足挿入口３のみが伸縮可能に形成されるものであったが、伸縮性のある基材不織布を用いることでウエットティッシュ全体を伸縮可能に形成してもよい。ただし、上記実施の形態のように、ペット５の足６を収納する袋９の大部分を非伸縮性とし、ペット５の足６との間にある程度空間的な余裕を持たせた構造の方が、足６の汚れを確実に拭き取るうえで好ましい。
【００５６】
・図１１に示すウエットティッシュ３１のように、基材不織布２の中央部（ペット５の足６の裏に対応する部分）を２重構造として外周側よりも厚くなるよう形成してもよい。例えば、基材不織布２の外周部を０．６ｍｍ程度に設定し、中央部をその倍である１．２ｍｍ程度に設定する。このようにすれば、ペット５の足６の爪が接触してウエットティッシュ３１が破れにくくなる。
【００５７】
・図１２に示すウエットティッシュ３２のように、袋状の基材不織布２の内面側に凹凸３３を形成してもよい。このように、基材不織布２の内面側に凹凸３３を形成することにより、ペット５の足６の汚れを確実に落とすことができる。また、図１３に示すウエットティッシュ３４のように、基材不織布２における中央部の外面側に凹凸３５を形成してもよい。このように、基材不織布２の外面側に凹凸３５を設けると、その凹凸３５が滑り止めとして機能するため、ペット５がウエットティッシュ３４を装着した状態で容易に歩くことができる。なお、上記の各凹凸３３，３５は、例えばエンボス加工により形成することができる。また、凹凸３３，３５は、点状であってもよく線状であってもよい。
【００５８】
・上記実施の形態では、容器１１にウエットティッシュ１を複数枚積層して収納していたが、これ以外に容器１１内にてウエットティッシュ１を４枚一組にして収納してもよい。このようにすると、各ウエットティッシュ１をペット５の４本の足６に装着する上で使い勝手が極めてよいものとなる。
【００５９】
・上記実施の形態において、ウエットティッシュ１の外面に、所定の模様を付してもよい。例えば、ペット５の足６に似せた色及び模様をウエットティッシュ１の外面に付す場合、ペット５にとって、自分の足６と似た色及び模様であれば、装着時における違和感も小さくなると考えられ、自ら外そうとするような行動を未然に阻止することができる。
【００６０】
次に、実用新案登録請求の範囲に記載された技術的思想のほかに、前述した実施の形態によって把握される技術的思想を以下に列挙する。
【００６１】
（１）請求項１乃至５のいずれか１項において、前記足挿入口の外側に形成されるフランジ部が５ｍｍ以下であることを特徴とするペット用使い捨て足拭きウエットティッシュ。
【００６２】
（２）請求項１乃至５のいずれか１項において、前記袋状をなす基材不織布の大きさとして、縦、横、高さのそれぞれが１００ｍｍ以下であることを特徴とするペット用使い捨て足拭きウエットティッシュ。
【００６３】
（３）請求項１乃至５のいずれか１項において、前記足挿入口に対応する位置に弾性部材を装着して前記基材不織布を袋状に形成した後、その基材不織布に含浸液を含ませたことを特徴とするペット用使い捨て足拭きウエットティッシュ。
【００６４】
（４）請求項２において、前記基材不織布及び前記弾性部材はいずれも可燃物であることを特徴とするペット用使い捨て足拭きウエットティッシュ。
【００６５】
（５）請求項１乃至５のいずれか１項において、前記基材不織布は厚さ０．５ｍｍ以上の厚手の基材不織布であることを特徴とするペット用使い捨て足拭きウエットティッシュ。
【００６６】
（６）請求項１乃至５のいずれか１項において、前記ウエットティッシュは、液状の含浸剤が含浸不能または含浸困難な非透水性の樹脂層を有しないことを特徴とするペット用使い捨て足拭きウエットティッシュ。
【００６７】
（７）請求項１乃至５のいずれか１項において、前記基材不織布は、装着時に前記ペットの足との間に５ｍｍ〜２０ｍｍの隙間ができる程度の大きさの袋状に形成されていることを特徴とするペット用使い捨て足拭きウエットティッシュ。
【００６８】
（８）請求項１乃至５のいずれか１項において、前記ウエットティッシュの外面には、前記ペットの足に似せた色及び模様が付されていることを特徴とするペット用使い捨て足拭きウエットティッシュ。
【００６９】
（９）請求項１乃至５のいずれか１項において、前記足挿入口には弾性部材を収納する収納部が形成されることを特徴とするペット用使い捨て足拭きウエットティッシュ。
【００７０】
（１０）技術的思想（９）において、前記収納部は、前記基材不織布の端部を折り曲げ、その基材不織布同士が折り重なった部分をヒートシールすることで形成されることを特徴とするペット用使い捨て足拭きウエットティッシュ。
【００７１】
（１１）液状の含浸剤が含浸されかつ折り畳まれた状態の請求項１乃至５のいずれか１項に記載のウエットティッシュを、容器内にて４枚一組にして収納した容器入りのペット用使い捨て足拭きウエットティッシュ。
【図面の簡単な説明】
【００７２】
【図１】本考案を具体化した第１の実施の形態のペット用使い捨て足拭きウエットティッシュを示す斜視図。
【図２】ペットの足に装着したペット用使い捨て足拭きウエットティッシュを示す斜視図。
【図３】ペット用使い捨て足拭きウエットティッシュを収納するための容器を示す斜視図。
【図４】ペット用使い捨て足拭きウエットティッシュの製造方法を示す説明図。
【図５】ペット用使い捨て足拭きウエットティッシュの製造方法を示す説明図。
【図６】ペット用使い捨て足拭きウエットティッシュの製造方法を示す説明図。
【図７】別例のペット用使い捨て足拭きウエットティッシュの製造方法を示す説明図。
【図８】別例のペット用使い捨て足拭きウエットティッシュの製造方法を示す説明図。
【図９】別例のペット用使い捨て足拭きウエットティッシュを示す斜視図。
【図１０】別例のペット用使い捨て足拭きウエットティッシュの製造方法を示す説明図。
【図１１】別例のペット用使い捨て足拭きウエットティッシュを示す断面図。
【図１２】別例のペット用使い捨て足拭きウエットティッシュを示す断面図。
【図１３】別例のペット用使い捨て足拭きウエットティッシュを示す断面図。
【符号の説明】
【００７３】
１，２５，３１，３２，３４…ペット用使い捨て足拭きウエットティッシュ
２…基材不織布
３…足挿入口
４…弾性部材としてのゴム
５…ペット
６…足
９…袋
９ａ…底部
１１…容器
１３…ティッシュ取出口
３３，３５…凹凸
【図１】
0003114672.tif 000003
【図２】
0003114672.tif 000004
【図３】
0003114672.tif 000005
【図４】
0003114672.tif 000006
【図５】
0003114672.tif 000007
【図６】
0003114672.tif 000008
【図７】
0003114672.tif 000009
【図８】
0003114672.tif 000010
【図９】
0003114672.tif 000011
【図１０】
0003114672.tif 000012
【図１１】
0003114672.tif 000013
【図１２】
0003114672.tif 000014
【図１３】
0003114672.tif 000015